【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段による複数の撮像によって複数の画像を取得する連写撮像処理を制御する制御手段と、
第１の通信手段と、
前記第１の通信手段よりも通信速度が速い第２の通信手段と、
前記第１の通信手段または前記第２の通信手段を介して位置情報を取得する位置取得手段とを有し、
前記第１の通信手段を介して前記位置情報が取得される場合、前記位置取得手段は、前記連写撮像処理の撮像毎に位置情報を取得せず、
前記第２の通信手段を介して前記位置情報が取得される場合、前記位置取得手段は、前記連写撮像処理の撮像毎に位置情報を取得することを特徴とする撮像装置。
【請求項２】
前記第１の通信手段または前記第２の通信手段を介して方位情報を取得する方位取得手段を更に有し、
前記第１の通信手段と前記第２の通信手段とのどちらの通信手段を介して方位情報を取得するかに関わらず、前記方位取得手段は、前記連写撮像処理の撮像毎に方位情報を取得することを特徴とする請求項１に記載の撮像装置。
【請求項３】
前記方位情報および前記位置情報を前記画像に関連付ける関連付け手段とを更に有することを特徴とする請求項２に記載の撮像装置。
【請求項４】
前記第２の通信手段を介して前記位置情報が取得される場合、前記関連付け手段により画像に関連付けられる位置情報は、前記連写撮像処理により得られる画像毎に可変であることを特徴とする請求項３に記載の撮像装置。
【請求項５】
前記第１の通信手段を介して前記方位情報が取得される場合、前記関連付け手段は、前記連写撮像処理の各撮像で得られる画像に、前記各撮像の直前に取得された方位情報をそれぞれ対応づけることを特徴とする請求項３または４に記載の撮像装置。
【請求項６】
前記第１の通信手段を介して前記方位情報が取得される場合、前記関連付け手段は、前記連写撮像処理の各撮像で得られる画像に、前記各撮像の直後に取得された方位情報をそれぞれ対応づけることを特徴とする請求項３または４に記載の撮像装置。
【請求項７】
前記第２の通信手段を介して前記位置情報が取得される場合、前記位置取得手段は、前記連写撮像処理が行われているか否かに関わらず、所定の間隔で前記位置情報を取得し、
前記第２の通信手段を介して前記方位情報が取得される場合、前記方位取得手段は、前記連写撮像処理が行われているか否かに関わらず、所定の間隔で前記方位情報を取得することを特徴とする請求項３乃至６のいずれか１項に記載の撮像装置。
【請求項８】
前記所定の間隔は、前記連写撮像処理の各撮像の間隔よりも短いことを特徴とする請求項７に記載の撮像装置。
【請求項９】
前記第１の通信手段と前記第２の通信手段との両方で通信が可能な場合、前記第２の通信手段を介した通信を優先することを特徴とする請求項１乃至８のいずれか１項に記載の撮像装置。
【請求項１０】
前記第１の通信手段を介した通信は無線通信であることを特徴とする請求項１乃至９のいずれか１項に記載の撮像装置。
【請求項１１】
前記第１の通信手段を介した通信は、アクセサリシューを介した通信であることを特徴とする請求項１乃至９のいずれか１項に記載の撮像装置。
【請求項１２】
前記第２の通信手段を介した通信は、ＵＳＢケーブルを介した通信であることを特徴とする請求項１乃至１１のいずれか１項に記載の撮像装置。
【請求項１３】
第１の通信手段と、前記第１の通信手段よりも通信速度が速い第２の通信手段とを有する撮像装置の制御方法であって、
複数の撮像によって複数の画像を取得する連写撮像工程と、
前記第１の通信手段または前記第２の通信手段を介して位置情報を取得する位置取得工程とを有し、
前記第１の通信手段を介して前記位置情報が取得される場合、前記位置取得工程では、前記連写撮像処理の撮像毎に位置情報を取得せず、
前記第２の通信手段を介して前記位置情報が取得される場合、前記位置取得工程では、前記連写撮像処理の撮像毎に位置情報を取得することを特徴とする撮像装置の制御方法。
【請求項１４】
コンピュータを請求項１乃至１２のいずれか１項に記載の撮像装置として機能させるプログラム。
【請求項１５】
撮像手段と、
前記撮像手段による複数の撮像によって複数の画像を取得する連写撮像処理を制御する制御手段と、
第１の通信手段と、
前記第１の通信手段よりも通信速度が速い第２の通信手段と、
前記第１の通信手段または前記第２の通信手段を介して位置情報を取得する位置取得手段と、
前記位置情報を前記画像に関連付ける関連付け手段とを有し、
前記第１の通信手段を介して前記位置情報が取得される場合、前記連写撮像処理によって得られる複数の画像のそれぞれに関連付けられる位置情報は、同じ位置情報が関連付けられ、
前記第２の通信手段を介して前記位置情報が取得される場合、前記連写撮像処理によって得られる複数の画像のそれぞれに関連付けられる位置情報は、前記連写撮像処理の実行中に可変な位置情報が関連付けられることを特徴とする撮像装置。
【請求項１６】
前記第１の通信手段または前記第２の通信手段を介して方位情報を取得する方位取得手段を更に有し、
前記第１の通信手段と前記第２の通信手段とのどちらの通信手段を介して方位情報が取得されるかに関わらず、前記連写撮像処理によって得られる複数の画像のそれぞれに関連付けられる位置情報は、前記連写撮像処理の実行中に可変な位置情報が関連付けられることを特徴とする請求項１５に記載の撮像装置。
【請求項１７】
前記第２の通信手段を介して前記位置情報が取得される場合、前記位置取得手段は、前記連写撮像処理が行われているか否かに関わらず、所定の間隔で前記位置情報を取得し、
前記第２の通信手段を介して前記方位情報が取得される場合、前記方位取得手段は、前記連写撮像処理が行われているか否かに関わらず、所定の間隔で前記方位情報を取得することを特徴とする請求項１６に記載の撮像装置。
【請求項１８】
前記所定の間隔は、前記連写撮像処理の各撮像の間隔よりも短いことを特徴とする請求項１７に記載の撮像装置。
【請求項１９】
前記第１の通信手段と前記第２の通信手段との両方で通信が可能な場合、前記第２の通信手段を介した通信を優先することを特徴とする請求項１５乃至１８のいずれか１項に記載の撮像装置。
【請求項２０】
第１の通信手段と、前記第１の通信手段よりも通信速度が速い第２の通信手段とを有する撮像装置の制御方法であって、
複数の撮像によって複数の画像を取得する連写撮像工程と、
前記第１の通信手段または前記第２の通信手段を介して位置情報を取得する位置取得工程と、
前記位置情報を前記画像に関連付ける関連付け工程とを有し、
前記第１の通信手段を介して前記位置情報が取得される場合、前記連写撮像処理によって得られる複数の画像のそれぞれに関連付けられる位置情報は、同じ位置情報が関連付けられ、
前記第２の通信手段を介して前記位置情報が取得される場合、前記連写撮像処理によって得られる複数の画像のそれぞれに関連付けられる位置情報は、前記連写撮像処理の実行中に可変な位置情報が関連付けられることを特徴とする撮像装置の制御方法。
【請求項２１】
コンピュータを請求項１５乃至１９のいずれか１項に記載の撮像装置として機能させるプログラム。
【手続補正２】
【補正対象書類名】明細書
【補正対象項目名】０００６
【補正方法】変更
【補正の内容】
【０００６】
本願発明の撮像装置は、撮像手段と、前記撮像手段による複数の撮像によって複数の画像を取得する連写撮像処理を制御する制御手段と、第１の通信手段と、前記第１の通信手段よりも通信速度が速い第２の通信手段と、前記第１の通信手段または前記第２の通信手段を介して位置情報を取得する位置取得手段とを有し、前記第１の通信手段を介して前記位置情報が取得される場合、前記位置取得手段は、前記連写撮像処理の撮像毎に位置情報を取得せず、前記第２の通信手段を介して前記位置情報が取得される場合、前記位置取得手段は、前記連写撮像処理の撮像毎に位置情報を取得することを特徴とする。